(57)【要約】【課題】使用者がどのような変速位置を使用したかを知ることができるようにする。【解決手段】情報収集システム１２は、自転車に関する情報を収集可能である。情報収集システム１２は、変速位置情報取得部３０と、第１制御部２０と、を備える。変速位置情報取得部３０は、複数の変速位置を有する自転車の変速装置に関する変速位置情報を取得可能である。第１制御部２０は、ある期間取得した変速位置情報を送信する。【選択図】図１
2015131533.tif 000002
【特許請求の範囲】
【請求項１】
自転車に関する情報を収集可能な情報収集システムであって、
複数の変速位置を有する前記自転車の変速装置に関する変速位置情報を取得可能な変速位置情報取得部と、
ある期間に取得した前記変速位置情報を送信する第１制御部と、
を備える情報収集システム。
【請求項２】
記憶部をさらに備え、
前記第１制御部は、前記変速位置情報を前記第１記憶部に送信し、前記変速位置情報を記憶するよう前記記憶部を制御する、請求項１に記載の情報収集システム
【請求項３】
前記第１制御部は、前記記憶部に記憶された前記変速位置情報に基づき、前記変速装置の各変速位置の使用頻度を算出する、請求項２に記載の情報収集システム。
【請求項４】
第１表示部をさらに備え、
前記第１制御部は、前記使用頻度を表示するよう前記第１表示部を制御する、請求項３に記載の情報収集システム。
【請求項５】
前記記憶部に記憶された情報を外部に出力可能な情報出力部をさらに備える、請求項２に記載の情報収集システム。
【請求項６】
前記情報出力部は、有線または無線によって前記前記変速位置情報を外部に出力可能である、請求項５に記載の情報収集システム。
【請求項７】
前記変速装置は、外装変速機および内装変速機の少なくとも一方を含み、
前記変速位置情報は、前記外装変速機の変速位置および前記内装変速機の変速位置の少なくとも一方を含む、請求項１に記載の情報収集システム。
【請求項８】
前記変速装置は、フロントディレイラおよびリアディレイラの少なくとも一方を含み、
前記変速位置情報は、前記フロントディレイラの変速位置および前記リアディレイラの変速位置の少なくとも一方を含む、請求項７に記載の情報収集システム。
【請求項９】
前記変速装置は、フロントディレイラおよびリアディレイラの両方を含み、
前記変速位置情報は、前記フロントディレイラの変速位置と前記リアディレイラの変速位置との組み合わせに関する情報を含む、請求項８に記載の情報収集システム。
【請求項１０】
前記自転車の走行情報を取得可能な走行情報取得部をさらに備え、
前記第１制御部は、取得された前記走行情報を前記変速位置情報に関連付けて送信する、請求項１に記載の情報収集システム。
【請求項１１】
前記走行情報は、車輪の回転速度、速度、ケイデンス、傾斜、外気の温度、外気の湿度、高度、加速度、踏力、および使用者の心拍数の少なくとも一つを含む、請求項１０に記載の情報収集システム。
【請求項１２】
自転車に関する情報を収集可能な情報収集装置と、前記情報収集装置と通信可能な情報処理装置と、含む情報処理システムであって、
前記情報収集装置は、複数の変速位置を有する変速装置に関する変速位置情報を取得可能な変速位置情報取得部、前記変速位置情報取得部によって取得された前記変速位置情報を外部に出力可能な情報出力部を備え、
前記情報処理装置は、前記情報出力部から出力された前記変速位置情報に基づき、前記変速装置の各変速位置の使用頻度を算出する第２制御部を備える、情報処理システム。
【請求項１３】
前記情報処理装置は、第２表示部をさらに備え、
前記第２制御部は、前記使用頻度を表示するよう前記第２表示部を制御する、請求項１２に記載の情報処理システム。
【請求項１４】
前記情報収集装置は、前記自転車の走行情報を取得可能な走行情報取得部をさらに備え、
前記情報出力部は、前記変速位置情報に関連付けられた前記走行情報を出力可能であり、
前記第２制御部は、前記使用頻度および前記走行情報の少なくとも一方を表示するよう前記第２表示部を制御する、請求項１３に記載の情報処理システム。
【請求項１５】
前記第２制御部は、前記使用頻度および前記走行情報の少なくとも一方を三次元的に表示するよう前記第２表示部を制御する、請求項１４に記載の情報処理システム。
【請求項１６】
第３表示部と、
複数の変速位置を有する自転車の変速装置に関する変速位置情報を取得する変速位置情報取得部によってある期間に取得された前記変速位置情報に基づき、前記変速装置の各変速位置の使用頻度を算出し、前記使用頻度を表示するよう前記第３表示部を制御する第３制御部と、
を備える情報表示装置。
【請求項１７】
自転車に関する情報を収集可能な情報収集システムにおいて実行されるコンピュータプログラムであって、
複数の変速位置を有する前記自転車の変速装置に関する変速位置情報を取得するステップと、
ある期間に取得した前記変速位置情報を送信するステップと、
を実行するコンピュータプログラム。
【発明の詳細な説明】
【技術分野】
【０００１】
本発明は、自転車に関する情報を収集可能な情報収集システム、および収集された情報を表示する自転車用情報表示装置に関する。
【背景技術】
【０００２】
近年、自転車の使用者（ライダー）が、変速装置をどのように操作することで変速装置の変速位置がどのように変化したかを知ることによって、使用者のトレーニングを効率的に行えるようにすることが求められている。従来の自転車においては、使用者は、サイクルコンピュータと呼ばれる表示装置によって現在の変速位置を知ることができるが、走行時に使用者がどのような変速位置を使用したかを知ることができなかった。
【発明の概要】
【発明が解決しようとする課題】
【０００３】
本発明の課題は、使用者がどのような変速位置を使用したかを知ることができるようにすることにある。
【課題を解決するための手段】
【０００４】
本発明に係る情報収集システムは、自転車に関する情報を収集可能な情報収集システムである。情報収集システムは、変速位置情報取得部と、第１制御部と、を備える。変速位置情報取得部は、複数の変速位置を有する自転車の変速装置に関する変速位置情報を取得可能である。第１制御部は、ある期間取得した変速位置情報を送信する。
【０００５】
この情報収集システムでは、変速位置情報取得部が変速位置情報を取得すると、ある期間取得した変速位置情報を第１制御部が送信する。この送信された変速位置情報を分析する（たとえば、複数の変速位置情報の使用頻度を求める）ことによって、使用者がどのような変速位置を使用したかを知ることができるようになる。
【０００６】
記憶部をさらに備え、第１制御部は、変速位置情報を第１記憶部に送信し、変速位置情報を記憶するよう記憶部を制御してもよい。この場合に、記憶部に記憶された変速位置情報を読み出すことによって、時系列的な変速位置の変化を知ることができる。
【０００７】
第１制御部は、記憶部に記憶された変速位置情報に基づき、変速装置の各変速位置の使用頻度を算出してもよい。この場合には、各変速位置の使用頻度が算出されるので、使用者の変速傾向を知ることができる。
【０００８】
第１表示部をさらに備え、第１制御部は、使用頻度を表示するよう第１表示部を制御してもよい。この場合には、各変速位置の使用頻度を目視により知ることができる。
【０００９】
記憶部に記憶された情報を外部に出力可能な情報出力部をさらに備える。この場合には、記憶部に蓄積された変速位置情報を外部装置で分析できるので、外部装置で変速位置情報に関する種々の分析を行うことができる。
【００１０】
情報出力部は、有線または無線によって変速位置情報を外部に出力可能であってもよい。この場合には、有線または無線によって変速位置情報を外部に出力できる。
【００１１】
変速装置は、外装変速機および内装変速機の少なくとも一方を含み、変速位置情報は、外装変速機の変速位置および内装変速機の変速位置の少なくとも一方を含んでもよい。この場合には、外装変速機および内装変速機の変速位置の変化を知ることができる。
【００１２】
変速装置は、フロントディレイラおよびリアディレイラの少なくとも一方を含み、変速位置情報は、フロントディレイラの変速位置およびリアディレイラの変速位置の少なくとも一方を含んでもよい。この場合は、フロントディレイラおよびリアディレイラの少なくとも一方の変速位置の変化を知ることができる。
【００１３】
変速装置は、フロントディレイラおよびリアディレイラの両方を含み、変速位置情報は、フロントディレイラの変速位置とリアディレイラの変速位置との組み合わせに関する情報を含んでもよい。この場合には、フロントディレイラおよびリアディレイラの変速位置の組み合わせの変化を知ることができる。これによって、通常は使用されない無駄な変速位置の組み合わせを使用したか否かを判断できる。
【００１４】
自転車の走行情報を取得可能な走行情報取得部をさらに備え、第１制御部は、取得された走行情報を変速位置情報に関連付けて送信してもよい。この場合には、変速位置情報に関連付けて走行情報が送信されるので、走行情報と変速位置との関連を知ることができる。
【００１５】
走行情報は、車輪の回転速度、速度、ケイデンス、傾斜、外気の温度、外気の湿度、高度、加速度、踏力、および使用者の心拍数の少なくとも一つを含んでもよい。この場合には、使用者の体力に影響を与える走行情報と変速位置との関連を知ることができる。
【００１６】
本発明の別の発明に係る情報処理システムは、自転車に関する情報を収集可能な情報収集装置と、情報収集装置と通信可能な情報処理装置と、含む。情報収集装置は、複数の変速位置を有する変速装置に関する変速位置情報を取得可能な変速位置情報取得部、変速位置情報取得部によって取得された変速位置情報を外部に出力可能な情報出力部を備える。情報処理装置は、情報出力部から出力された変速位置情報に基づき、変速装置の各変速位置の使用頻度を算出する第２制御部を備える。この情報処理システムでは、情報収集装置で収集され出力された変速位置情報に基づいて情報処理装置で各変速位置の使用頻度が算出される。ここでは、自転車に搭載された情報収集装置と別の情報処理装置の第２制御部によって使用頻度が算出されるので、大容量の変速位置情報を取り扱える。
【００１７】
情報処理装置は、第２表示部をさらに備え、第２制御部は、使用頻度を表示するよう第２表示部を制御してもよい。この場合には、第２制御部で算出された使用頻度が外部の第２表示部によって表示される。
【００１８】
情報収集装置は、自転車の走行情報を取得可能な走行情報取得部をさらに備え、情報出力部は、変速位置情報に関連付けられた走行情報を出力可能であり、第２制御部は、使用頻度および走行情報の少なくとも一方を表示するよう第２表示部を制御してもよい。この場合に、変速位置情報に関連付けられた走行情報および走行位置情報の少なくとも一方が情報処理装置で処理され、第２表示部に表示されるので、多数の走行位置情報の処理を行え、使用者がどのような変速位置を使用したかを走行情報と合わせてさらに精度良く知ることができる。
【００１９】
第２制御部は、使用頻度および走行情報の少なくとも一方を三次元的に表示するよう第２表示部を制御してもよい。この場合には、情報が三次元的に表示されるので、変速位置情報ごとの複数の走行情報を表示することができる。
【００２０】
本発明のさらに別の発明に係る情報表示装置は、第３表示部と、第３制御部と、を備える。第３制御部は、複数の変速位置を有する自転車の変速装置に関する変速位置情報を取得する変速位置情報取得部によってある期間に取得された変速位置情報に基づき、変速装置の各変速位置の使用頻度を算出し、使用頻度を表示するよう第３表示部を制御する。
【００２１】
この情報表示装置では、変速位置情報取得部によってある期間に取得された変速位置情報に基づき、各変速位置の使用頻度が第３算出し、算出された使用頻度を第３表示部に表示させる。表示された使用頻度によって、使用者がどのような変速位置を使用したかを知ることができるようになる。
【００２２】
本発明に係るさらにまた別の発明のコンピュータプログラムは、自転車に関する情報を収集可能な情報収集システムにおいて実行される。コンピュータプログラムは、複数の変速位置を有する自転車の変速装置に関する変速位置情報を取得するステップと、ある期間に取得した変速位置情報を送信するステップと、を含む。
【００２３】
このコンピュータプログラムを実行すると、変速位置情報が取得され、ある期間に取得された変速位置情報が送信される。この送信されてある期間の変速位置情報を分析する（たとえば、複数の変速位置情報の使用頻度を求める）ことよって、使用者がどのような変速位置を使用したかを知ることができるようになる。
【発明の効果】
【００２４】
本発明によれば、変速位置情報を分析することよって、使用者がどのような変速位置を使用したかを知ることができるようになる。
【図面の簡単な説明】
【００２５】
【図１】本発明の一実施形態による情報収集システム、情報収集装置、情報処理システムの構成を示すブロック図。
【図２】本発明の一実施形態によるコンピュータプログラムを含む第１制御部の制御動作の一例を示すフローチャート。
【図３】第１制御部の情報収集処理の制御動作の一例を示すフローチャート。
【図４】第１記憶部の記憶内容の一例を示す表。
【図５】フロントスプロケットおよびリアスプロケットの歯数の組み合わせならびに組み合わせによる変速比を示す表。
【図６】第２制御部の制御動作の一例を示すフローチャート。
【図７】収集された変速位置の使用頻度及び各変速位置の平均速度を示すグラフ。
【図８】別に収集された変速位置の使用頻度及び各変速位置の平均速度を示すグラフ。
【図９】ある変速位置における走行情報の出現頻度を三次元的に示すグラフ。
【図１０】他の実施形態の第１制御部の情報処理の制御動作の一例を示すフローチャート。
【図１１】各変速位置の使用頻度を別の態様の棒グラフで示した図。
【図１２】各変速位置の使用頻度をさらに別の態様の棒グラフで示した図。
【図１３】各変速位置の使用頻度をさらに別の態様のバルーンチャートで示した図。
【発明を実施するための形態】
【００２６】
図１において、本発明の一実施形態による情報処理システム１０は、情報収集システム１２と、情報処理装置１４と、を有する。情報収集システム１２は、情報収集装置および情報表示装置の一例である。情報収集システム１２は、複数の変速位置を有する自転車の変速位置情報を収集可能なものである。情報収集システム１２は、いわゆるサイクルコンピュータと呼ばれる車速、ケイデンス、走行距離などを表示可能なシステムであってもよい。情報収集システム１２は、たとえば、マイクロコンピュータによって構成される第１制御部２０を有する。第１制御部２０には、第１表示部２２と、第１操作部２４と、第１記憶部２６と、第１通信部２８と、変速位置情報取得部３０と、走行情報取得部３２と、が接続される。第１制御部２０は、ある期間に取得した変速位置情報と走行情報を第１記憶部２６に送信する。第１制御部２０は、第１操作部２４の操作、ならびに変速位置情報取得部３０および走行情報取得部３２によって取得された情報、に応じて第１表示部２２、第１記憶部２６、および第１通信部２８を制御する。具体的には、第１制御部２０は、変速位置情報と走行情報を第１記憶部２６に送信し、変速位置情報と走行情報を記憶するよう第１記憶部２６を制御する。このとき、第１制御部２０は、所定の周期で変速位置情報と走行情報を変速位置情報取得部３０および走行情報取得部３２から取得する。第１制御部２０は、第１制御部２０が備える図示しないキャッシュメモリでバッファリングした複数の変速位置情報と走行情報を第１記憶部２６に一度に送信してもよいし、変速位置情報と走行情報を取得するたびに第１記憶部２６に送信してもよい。また、第１制御部２０は、情報処理装置１４から第１記憶部２６に記憶された変速位置情報等の出力要求があると、第１記憶部２６に記憶された変速位置情報等を、第１通信部２８を介して情報処理装置１４に出力する。
【００２７】
第１表示部２２は、たとえば、液晶ディスプレイであり、変速位置情報取得部３０および走行情報取得部３２によって取得された情報が表示される。第１操作部２４は、少なくとも一つの操作スイッチまたはタッチパネルを有する。本実施形態では、複数の操作スイッチを有する。第１記憶部２６は、記憶部の一例である。第１記憶部２６には、たとえば、ＥＥＰＲＯＭ（Electrically Erasable Programmable Read-Only Memory）、フラッシュメモリ等の書換可能な不揮発性メモリが採用される。本実施形態では、ＥＥＰＲＯＭが採用される。第１記憶部２６には、図２に示すように、各アドレスに、記憶時間、変速位置情報、および走行情報が記憶される。したがって、変速位置情報および走行情報は、時系列的に記憶される。記憶時間の欄には、ある変速位置情報と走行情報を取得した時間が、日付および時、分、秒の形式で記憶される。変速位置情報の欄には、フロント変速位置ＦＧＰとリア変速位置ＲＧＰとの組み合わせ情報が記憶される。走行情報の欄には、たとえば、後述する速度センサ３２ａおよびケイデンスセンサ３２ｂによって検出される速度とケイデンスとが少なくとも記憶される。
【００２８】
図１に示すように、第１通信部２８は、情報出力部の一例である。第１通信部２８は、情報処理装置１４と通信可能である。第１通信部２８には、ISO/IEC 18092等のＮＦＣ(Near Field Communication)規格、IEEE 802.11等の無線ＬＡＮ(Local Area Network)規格、およびIEEE 802.15.1 等のBluetooth（登録商標）等の近距離無線通信規格のいずれかが採用される。本実施形態では、Bluetooth（登録商標）が採用される。なお、第１通信部２８には、ＵＳＢ(Universal Serial Bus)等の有線規格が採用されてもよい。
【００２９】
変速位置情報取得部３０は、複数の変速位置を有する自転車の変速装置に関する変速位置情報を取得可能である。変速位置情報取得部３０は、図示しない外装変速装置としてのフロントディレイラの変速位置を検出可能なフロント変速位置センサ３０ｆと、図示しない外装変速装置としてのリアディレイラの変速位置を検出可能なリア変速位置センサ３０ｒと、を含む。本実施形態では、変速位置情報として、フロント変速位置センサ３０ｆとリア変速位置センサ３０ｒの変速位置の組み合わせ情報を用いる。本実施形態では、フロントディレイラは、たとえば、「１」および「２」の２段の変速位置を有する。また、リアディレイラは、たとえば、「１」から「１０」の１０段の変速位置を有する。各変速位置は、自転車に装着された、図示しない１又は複数のフロントスプロケットおよび図示しない１又は複数のリアスプロケットに対応している。具体的には、最も自転車本体に近い位置にあるフロント／リアスプロケットと対応する変速位置が「１」であり、以降、自転車本体から遠ざかるごとに変速位置を表す数字が大きくなっていく。なお、以降の説明では、フロントスプロケットとリアスプロケットとを組み合わせた変速位置を、フロントスプロケットの１段目を「Ｌ」と記載し、フロントスプロケットの２段目を「Ｔ」と記載する。また、リアスプロケットは、それぞれ段数の値で記載する。したがって、フロントスプロケットが１段目でリアスプロケットか６段目の場合は、「Ｌ６」と記載する。
【００３０】
図３に示すように、フロントディレイラがチェーンを架け渡すフロントスプロケットの枚数は、たとえば２枚である。Ｌのフロントスプロケットの歯数は、たとえば「４２」であり、Ｈのフロントスプロケットの歯数は、たとえば「５５」である。また、リアディレイラがチェーンを架け渡すリアスプロケットの枚数は、たとえば１０枚である。リアスプロケットの歯数は、たとえば１段目が「１２」、２段目が「１３」、３段目が「１４」、４段目が「１５」、５段目が「１６」、６段目が「１７」、７段目が「１９」、８段目が「２１」、９段目が「２３」、１０段目が「２５」である。したがって、フロントスプロケットとリアスプロケットの組み合わせは全部で２０通りである。変速比が似通っており、かつ矢印が通らない組み合わせは、推奨はされないが使用者の好みによって使用される。また、チェーンが極端に斜行するハッチングで示すフロントスプロケットが１段目でリアスプロケットが１０段目の組み合わせ（Ｔ１０）、およびフロントスプロケットが２段目でリアスプロケットが１０段目の組み合わせ（Ｌ１）は、通常は使用が禁止される。しかし、第１記憶部２６には推奨されない組み合わせ、または禁止された組み合わせも記憶される。これによって、使用者は変速操作のミスを確認できる。
【００３１】
なお、自転車が内装変速装置を有する場合、内装変速装置の変速位置を用いればよい。また、自転車がフロントディレイラと内装変速装置とを有する場合は、フロント変速位置センサと内装変速装置の変速位置との組み合わせ情報を用いればよい。
【００３２】
図１に示すように、走行情報取得部３２は、速度センサ３２ａ、ケイデンスセンサ３２ｂ、傾きセンサ３２ｃ、トルクセンサ３２ｄおよび心拍センサ３２ｅを含んでいる。速度センサ３２ａは、たとえば、自転車の前輪に設けられる検出子（たとえば、磁石）を検出できるようにフロントフォークに設けられる。ケイデンスセンサ３２ｂは、たとえば、自転車のクランクアームに設けられる検出子（例えば周方向に間隔を隔てて配置された磁石）を検出できるようにハンガー部に設けられる。傾きセンサ３２ｃは、たとえば、自転車のフレームに設けられる半導体ジャイロを含む。トルクセンサ３２ｄは、自転車のクランク軸に設けられる磁歪素子と、クランク軸の周囲においてフレームに設けられるコイルと、を含む。心拍センサ３２ｅは、使用者の体に固定される市販の心拍計を含む。これらは、第１操作部２４の操作によって、使用者が任意に選択できる。本実施形態では、走行情報として、速度とケイデンスを選択した場合を示す。なお、心拍センサ３２ｅは、無線によって情報収集システム１２に接続されてもよい。
【００３３】
情報処理装置１４は、たとえば、パーソナルコンピュータ、スマートフォン、タブレットなどの情報処理端末によって実現される。情報処理装置１４は、マイクロコンピュータによって構成される第２制御部３４を有する。第２制御部３４には、第２表示部３６と、第２操作部３８と、第２記憶部４０と、第２通信部４２と、が接続される。第２制御部３４は、第２操作部３８の操作、ならびに情報収集システム１２から送信された情報、に応じて第２表示部３６、第２記憶部４０、および第２通信部４２を制御する。第２制御部３４によって行われる制御動作は、アプリケーション（アプリApp）およびコンピュータプログラムを含むソフトウェアによって実現される。
【００３４】
第２表示部３６は、たとえば、液晶ディスプレイであり、第２制御部３４によって処理された情報が表示される。第２操作部３８は、マウスおよびキーボード、またはタッチパネルを含む。第２記憶部４０には、たとえばフラッシュメモリ等の書き換え可能な不揮発性メモリまたはハードディスクが採用される。本実施形態では、フラッシュメモリが採用される。
【００３５】
第２通信部４２は、情報収集システム１２およびサーバ４４と通信可能である。第２通信部４２には、IEEE 802.11等の無線ＬＡＮ(Local Area Network)規格、およびIEEE 802.15.1 等のBluetooth（登録商標）等の近距離無線通信規格が採用される。本実施形態では、第２通信部４２は、Bluetooth（登録商標）によって情報収集システム１２と通信し、無線ＬＡＮによってサーバ４４と通信する。サーバ４４では、識別情報ごとに変速位置情報および走行情報が記録される。なお、第２通信部４２には、ＵＳＢ(Universal Serial Bus)等の有線通信規格が採用されてもよい。また、第１通信部２８がサーバ４４と通信するようにしてもよい。
【００３６】
次に情報収集システム１２の第１制御部２０の制御動作について、図４に示すフローチャートに基づいて説明する。
【００３７】
図４のステップＳ１では、第１制御部２０は、第１操作部２４の操作に応じて使用者が選択した走行情報を認識する。使用者は、第１表示部２に表示された複数の走行情報から表示したい複数の走行情報を、第１操作部２４を用いて選択する。この走行情報選択処理では、全ての走行情報を選択することも可能であるが、通常は、２から４つの走行情報が選択される。使用者が選択した走行情報を認識すると、ステップＳ２に移行する。ステップＳ２では、第１制御部２０は、図５に示す情報収集処理を実行する。ステップＳ３では、第１記憶部２４に記憶された情報を、情報処理装置１４が出力するように要求しているか否かを第１制御部２０が判断する。情報処理装置１４が情報の出力を要求していないと第１制御部２０が判断するとステップＳ２に戻る。情報処理装置１４が情報の出力を要求していると第１制御部２０が判断すると、ステップＳ３からステップＳ４に移行する。ステップＳ４では、第１記憶部２４に記憶された記憶時間、変速位置情報および走行情報を読み出す。ステップＳ５では、第１通信部２８を介して読み出した情報を情報処理装置１４に出力し、ステップＳ２に戻る。
【００３８】
図５において、情報収集処理では、第１制御部２０は、使用者に選択された走行情報および変速位置情報を、第１記憶部２６に時系列的に記憶させる。ステップＳ１１において、第１制御部２０は、収集処理の開始を待つ。使用者は、変速位置情報および走行情報を収集する場合は、第１操作部２４を操作する。第１制御部２０は、第１操作部２４によって使用者が情報の収集の開始操作を行ったと判断すると、ステップＳ１１からステップＳ１２に移行する。ステップＳ１２では、第１制御部２０は、フロント変速位置センサ３０ｆおよびリア変速位置センサ３０ｒが取得したそれぞれの変速位置の情報を取り込む。ステップＳ１３では、第１制御部２０は、取り込んだフロント変速位置ＦＧＰがＬであるか否かを判断する。取得したフロント変速位置ＦＧＰがＬであると判断すると、ステップＳ１３からステップＳ１４に移行する。
【００３９】
ステップＳ１４からステップＳ２３では、リア変速位置ＲＧＰが１段目から１０段目のいずれであるかを判断する。リア変速位置ＲＧＰが１段の場合は、ステップＳ１４からステップＳ２４に移行し、第１制御部２０は、変速位置情報ＧＰをＬ１にセットする。リア変速位置ＲＧＰが２段目の場合は、ステップＳ１５からステップＳ２５に移行し、第１制御部２０は、変速位置情報ＧＰをＬ２にセットする。リア変速位置ＲＧＰが３段目の場合は、ステップＳ１６からステップＳ２６に移行し、第１制御部２０は、変速位置情報ＧＰをＬ３にセットする。リア変速位置ＲＧＰが４段目の場合は、ステップＳ１７からステップＳ２７に移行し、第１制御部２０は、変速位置情報ＧＰをＬ４にセットする。リア変速位置ＲＧＰが５段目の場合は、ステップＳ１８からステップＳ２８に移行し、第１制御部２０は、変速位置情報ＧＰをＬ５にセットする。リア変速位置ＲＧＰが６段目の場合は、ステップＳ１９からステップＳ２９に移行し、第１制御部２０は、変速位置情報ＧＰをＬ６にセットする。リア変速位置ＲＧＰが７段目の場合は、ステップＳ２０からステップＳ３０に移行し、第１制御部２０は、変速位置情報ＧＰをＬ７にセットする。リア変速位置ＲＧＰが８段目の場合は、ステップＳ２１からステップＳ３１に移行し、第１制御部２０は、変速位置情報ＧＰをＬ８にセットする。リア変速位置ＲＧＰが９段目の場合は、ステップＳ２２からステップＳ３２に移行し、第１制御部２０は、変速位置情報ＧＰをＬ９にセットする。リア変速位置ＲＧＰが１０段目の場合は、ステップＳ２３からステップＳ３３に移行し、第１制御部２０は、変速位置情報ＧＰをＬ１０にセットする。
【００４０】
フロント変速位置情報ＦＧＰが２段目であると判断すると、ステップＳ１３からステップＳ３４に移行する。ステップＳ３４からステップＳ４３では、ステップＳ１４からステップＳ２３と同様にリア変速位置ＲＧＰが第１段目から１０段目のいずれであるかを判断する。リア変速位置ＲＧＰが１段の場合は、ステップＳ３４からステップＳ４４に移行し、第１制御部２０は、変速位置情報ＧＰをＴ１にセットする。リア変速位置ＲＧＰが２段目の場合は、ステップＳ３５からステップＳ４５に移行し、第１制御部２０は、変速位置情報ＧＰをＴ２にセットする。リア変速位置ＲＧＰが３段目の場合は、ステップＳ３６からステップＳ４６に移行し、第１制御部２０は、変速位置情報ＧＰをＴ３にセットする。リア変速位置ＲＧＰが４段目の場合は、ステップＳ３７からステップＳ４７に移行し、第１制御部２０は、変速位置情報ＧＰをＴ４にセットする。リア変速位置ＲＧＰが５段目の場合は、ステップＳ３８からステップＳ４８に移行し、第１制御部２０は、変速位置情報ＧＰをＴ５にセットする。リア変速位置ＲＧＰが６段目の場合は、ステップＳ３９からステップＳ４９に移行し、第１制御部２０は、変速位置情報ＧＰをＴ６にセットする。リア変速位置ＲＧＰが７段目の場合は、ステップＳ４０からステップＳ５０に移行し、第１制御部２０は、変速位置情報ＧＰをＴ７にセットする。リア変速位置ＲＧＰが８段目の場合は、ステップＳ４１からステップＳ５１に移行し、第１制御部２０は、変速位置情報ＧＰをＴ８にセットする。リア変速位置ＲＧＰが９段目の場合は、ステップＳ４２からステップＳ５２に移行し、第１制御部２０は、変速位置情報ＧＰをＴ９にセットする。リア変速位置ＲＧＰが１０段目の場合は、ステップＳ４３からステップＳ５３に移行し、第１制御部２０は、変速位置情報ＧＰをＴ１０にセットする。
【００４１】
ステップＳ２３、ステップＳ３３、ステップＳ４３、またはステップＳ５３から終了すると、ステップＳ５４に移行する。ステップＳ５４では、第１制御部２０は、走行位置情報取得部３２がその時点で取得した走行情報を取り込む。たとえば、本実施形態では、その時点で速度センサ３２ａが取得した車速およびケイデンスセンサ３２ｂが取得したケイデンスを走行情報として取り込む。ステップＳ５５では、第１制御部２０はセットした変速位置情報ＧＰおよび取り込んだ走行情報を第１記憶部２６に送信し、第１記憶部２６に書き込む。ステップ５６では、使用者が第１操作部２４によって収集終了の操作を行ったか否かを判断する。収集終了操作を行ったと判断すると情報収集処理を終了する。収集終了操作がなされていないと判断すると、ステップＳ１２に戻り、次のタイミングで変速位置情報および走行情報を取得する。
【００４２】
次に情報処理装置１４の制御動作について、図６に示すフローチャートに基づいて説明する。この動作は、前述したようにコンピュータプログラム、アプリなどのソフトウェアによって実現される。
【００４３】
図６のステップＰ１では、第２制御部３４は、第２表示部３６に情報処理のメニューを表示する。たとえば、第２制御部３４は、情報出力要求、情報表示、および操作終了の３つメニューボタンを第２表示部３６に表示する。ステップＰ２では、たとえば使用者がマウスを用いて情報出力要求のメニューボタンにカーソルを合わせてクリックする、またはタッチパネルのメニューボタンを押圧するなどの操作によって、情報出力要求の操作を行ったか否かを判断する。ステップＰ３では、第２制御部３４は、情報収集システム１２から情報の受信を完了したか否かを判断する。ステップＰ４では、たとえば使用者がマウスを用いて情報表示のメニューボタンにカーソルを合わせてクリックする、またはタッチパネルのメニューボタンを押圧するなどの操作によって、第２制御部３４は、使用者が情報表示の操作を行ったか否かを判断する。ステップＰ５では、第２制御部３４が、使用者が終了のメニューボタンにカーソルを合わせてクリックする、またはタッチパネルのメニューボタンを押圧するなどの操作によって、使用者が終了操作を行ったか否かを判断する。終了操作を行ったと判断すると、第２制御部３４は、処理を終了する。
【００４４】
使用者が情報出力要求の操作を行ったと第２制御部３４判断すると、ステップＰ２からステップＰ７に移行する。ステップＰ６では、情報収集システム１２に情報出力要求を出力する。この要求を情報収集システム１２が受け取ると、図４のステップＳ３で第１制御部２０がそのことを判断し、取得した変速位置情報および走行情報を、ステップＳ５で情報処理装置１４に出力する。
【００４５】
情報収集システム１２から情報の受信を完了すると、図６のステップＰ３からステップＰ７に移行する。ステップＰ７では、受信した情報を第２制御部３４が第２記憶部４０に格納する。使用者が情報表示の操作を行ったと第２制御部３４が判断すると、ステップＰ４からステップＰ８に移行する。ステップＰ８では、第２制御部３４は、第２記憶部４０から変速位置情報および各変速位置の走行情報を読み出す。たとえば、走行情報として各変速位置のケイデンスと走行速度を読み出す。ステップＰ９では、読み出した各変速位置情報の使用頻度を算出するとともに、走行情報の加工（本実施形態においては各変速位置の走行速度の平均値の算出）を実施する。ステップＰ１０では、各変速位置の使用頻度および／または加工された走行情報（本実施形態においては平均速度）を図７及び図８に示すような二次元のグラフで表示する。ステップＰ１１では、二次元グラフで表示された変速位置がクリックされたか否かを判断する。使用者は、ある変速位置における詳細な走行情報を知りたい場合はこの操作を行う。ステップＰ１２では、第２制御部３４は、算出された変速位置毎の使用頻度の表示（図７参照）および走行情報の三次元的な表示（図９参照）を行い、ステップＰ５に移行する。ステップＰ１１で変速位置が選択されない場合は、ステップＰ５に移行する。
【００４６】
図７では、各変速位置の使用頻度は、たとえば棒グラフで表示され、加工された走行情報（本実施形態においては各変速位置の平均速度）は、たとえば折れ線グラフで表示される。図７では、通常は使用が禁止されるＬ１およびＴ１０のチェーンが極端に斜行する変速が行われていることがわかる。その部分は他の表示と異なり白抜きに表示される。これにより、使用者は使用が禁止された変速位置を選択したことを迅速に認識できる。また、変速位置Ｔ５が突出して多く使用されていることがわかる。
【００４７】
一方、図８では、通常はあまり使用されない変速位置を使用者が多用していることがわかる。これによって、フロントディレイラ及びリアディレイラの各スプロケットの歯数が使用者に適していないことがわかる。このような場合、フロントスプロケットおよびリアスプロケットを歯数が異なるものに交換する必要がある。
【００４８】
図７または図８に示す画面で「Ｌ５」の部分にカーソルを合わせてクリックまたは押圧すると、図９に示すように、フロント変速位置がＬでリア変速位置が５の変速位置Ｌ５における、走行情報（本実施形態においては走行速度およびケイデンス）が三次元的に表示される。図９では、Ｚ軸に２つの走行情報（本実施形態においては走行速度およびケイデンス）の頻度をとり、Ｙ軸に走行速度の大きさを、Ｘ軸にケイデンスの大きさをそれぞれ段階的にとっている。図７及び図８を見ることによって、ある期間における変速位置の使用履歴によって、どのような変速位置を使用したかを、使用者は知ることができるようになる。また、図９を見ることによって、各変速位置において、走行情報がどのように変化したかを知ることができる。これによって、自転車のトレーニングにおいて、最適な走行パターンを得ることができる。なお、使用頻度の表示は、図７及び図８のグラフに限定されず図１１に示すように２つの二次元の棒グラフに分けて表示してもよい。また、図１２に示すように、走行速度を表示せずに各変速位置の使用頻度だけを表示してもよい。また、円グラフ折れ線グラフ、または図１３に示すバルーンチャート等のその他の形態のグラフ表示であってもよい。図１２では、禁止された組み合わせの変速位置を使用するとその部分に星印が付される。また、図１３では、禁止され組み合わせの変速位置が白抜きで表示される。
【００４９】
ここでは、第１記憶部２６に送信された変速位置情報を分析する（たとえば、複数の変速位置情報の使用頻度を求める）ことよって、使用者がどのような変速位置を使用したかを知ることができるようになる。
【００５０】
また、各変速位置の使用頻度が算出されるので、使用者の変速傾向を知ることができる。
【００５１】
さらに情報収集システム１２が外部装置への情報出力部（第１通信部２８）を有しているので、外部装置で変速位置情報およびそれに関連付けられた走行情報を細かく分析することができる。
【００５２】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５３】
（ａ）上記実施形態では、情報収集システム１２は、変速位置情報および走行情報を収集するだけであったが、本発明はこれに限定されない。自転車に搭載される情報収集システム１２において、変速位置情報の使用頻度を表示してもよい。
【００５４】
図１０において、情報収集システム１２の第１制御部２０は、図４に示す上記実施形態の処理とステップＳ１からステップＳ５では同じ処理を行う。また、ステップＳ３の情報出力要求が無い場合は、ステップＳ６１に移行し、情報表示操作が入力されたか否かを判断する。情報表示操作は、使用者が第１操作部２４を操作することによって入力される。情報表示操作が入力されたと判断すると、ステップＳ６１からステップＳ６２に移行する。ステップＳ６２では、第１制御部２０は、第１記憶部２６から変速位置情報を読み出す。ステップＳ６３では、第１制御部２０は、各変速位置の使用頻度を算出する。ステップＳ６４では、図７に示すように、各変速位置の使用頻度を、たとえば、棒グラフの形態で第１表示部２２に表示させる。使用頻度の表示は、上記実施形態と同様に、図７及び図８のグラフに限定されず図１１に示す二次元の棒グラフや、図１２に示す各変速位置の使用頻度だけのグラフや、円グラフ折れ線グラフ、または図１３に示すバルーンチャート等のその他の形態のグラフによって表示されてもよい。ステップＳ６１で情報表示操作が入力されていないと判断した場合およびステップＳ６４での処理が終了した場合は、ステップＳ２に戻る。
【００５５】
このように、自転車に装着された情報収集システム１２の第１表示部２２に変速位置の使用頻度を表示することによって、使用者が情報処理装置を接続することなく、変速位置の使用頻度を確認でき、使用者がどのような変速位置を使用したかを迅速に知ることができ。この場合、情報収集システム１２は、情報表示装置の一例である。また、第１制御部２０は、第３制御部の一例でもあり、第１表示部は第３表示部の一例でもある。
【００５６】
（ｂ）上記実施形態では、走行情報取得部３２として、速度センサ３２ａ、ケイデンスセンサ３２ｂ、傾きセンサ３２ｃ、トルクセンサ３２ｄおよび心拍センサ３２ｅを例示したが、本発明はこれに限定されない。走行情報取得部として、たとえば、温度センサ、湿度センサ、高度センサ、加速度センサ、ＧＰＳ情報、および風速センサを含んでもよい。
【００５７】
（ｃ）上記実施形態では、走行情報としての速度を速度センサからの出力よって取得したが、本発明はこれに限定されない。たとえば、ケイデンス、変速位置、および車輪の周長から演算によって速度を取得してもよい。また、ケイデンスを、速度、変速位置、および周長から取得してもよい。さらに変速位置を、ケイデンス、速度および周長から取得してもよい。
【００５８】
（ｄ）上記実施形態では、第１制御部２０の情報の取得期間を収集開始操作から収集終了操作までの期間としたが、本発明はこれに限定されない。たとえば、走行開始から走行終了までの期間または所定の間隔（時間または距離）などのその他の期間に変速位置情報および走行情報を取得するようにしてもよい。
【００５９】
（ｅ）上記実施形態では、変速位置情報と、変速位置情報に関連付けて走行情報を取得したが、本発発明はこれに限定されない。変速位置情報だけを取得してもよい。
【００６０】
（ｆ）上記実施形態では、各変速位置および走行情報の使用頻度を表示したが、本発明はこれに限定されない。たとえば、変速位置の時系列的な変化を表示するようにしてもよい。この場合、走行情報として自転車の傾き、使用者の脈拍などを変速位置に合わせて時系列的に表示してもよい。
【符号の説明】
【００６１】
１０    情報処理システム
１２    情報収集システム
１４    情報処理装置
２０    第１制御部
２２    第１表示部
２４    第１操作部
２６    第１記憶部
２８    第１通信部
３０    変速位置情報取得部
３０ｆ  フロント変速位置センサ
３０ｒ  リア変速位置センサ
３２    走行情報取得部
３２ａ  速度センサ
３２ｂ  ケイデンスセンサ
３２ｃ  傾きセンサ
３２ｄ  トルクセンサ
３２ｅ  心拍センサ
３４    第２制御部
３６    第２表示部
３８    第２操作部
４０    第２記憶部
４２    第２通信部
４４    サーバ
【図１】
2015131533.tif 000003
【図２】
2015131533.tif 000004
【図３】
2015131533.tif 000005
【図４】
2015131533.tif 000006
【図５】
2015131533.tif 000007
【図６】
2015131533.tif 000008
【図７】
2015131533.tif 000009
【図８】
2015131533.tif 000010
【図９】
2015131533.tif 000011
【図１０】
2015131533.tif 000012
【図１１】
2015131533.tif 000013
【図１２】
2015131533.tif 000014
【図１３】
2015131533.tif 000015